(57)【要約】【課題】バイアル瓶内を負圧にせず薬剤を含む液体を容易に抽出できる閉鎖式薬物移送システムを提供する。【解決手段】閉鎖式薬物移送システム１は、中空針部材３２と把持部材３４とを備えるバイアルアダプタ３と、中空針部材３２の第１の経路３２２によりバイアル瓶２内と連通するメスコネクタ４と、可撓性部材６により閉蓋され、中空針部材３２の第２の経路３２３によりバイアル瓶２内と連通する容器５とを備える。薬液を注入する際にバイアル瓶２内の気体を容器５内に待避させ、液体を抽出する際に容器５内の気体をバイアル瓶２内に供給する。経路３２３の開口部の周囲に、容器５と経路３２３との気体の流通を許容可能なリブ５３を備える。【選択図】  図２
2019047957.tif 000002
【特許請求の範囲】
【請求項１】
バイアル瓶の口部を封止するゴム栓に穿刺される中空針部材と、該中空針部材が該バイアル瓶の口部に穿刺されたときに該バイアル瓶を把持する複数の把持部材とを備えるバイアルアダプタと、
該バイアルアダプタと医療器具とを接続し、該中空針部材に設けられた第１の経路を介して該バイアル瓶内と連通する中空円筒状の接続部材と、
開口端が可撓性部材により閉蓋され、該中空針部材に設けられた第２の経路を介して該バイアル瓶内と連通する容器とを備え、
外気から遮断された状態で該第１の経路を介してバイアル瓶に薬液を注入する際に、該第２の経路を介してバイアル瓶内の気体を該容器内に待避させる一方、該第１の経路を介してバイアル瓶から液体を抽出する際に、該第２の経路を介して該容器に貯留されている気体をバイアル瓶内に供給する閉鎖式薬物移送システムにおいて、
該容器に対する該第２の経路の開口部の周囲に、該可撓性部材による該第２の経路の閉塞を避けて、該容器と該第２の経路との間の気体の流通を許容可能なリブを備えることを特徴とする閉鎖式薬物移送システム。
【請求項２】
請求項１記載の閉鎖式薬物移送システムにおいて、前記リブは、前記容器に対する前記第２の経路の開口部の周囲に複数備えられ、各リブは隣接するリブとの間に気体の流通が可能な間隙を備えることを特徴とする閉鎖式薬物移送システム。
【請求項３】
請求項１記載の閉鎖式薬物移送システムにおいて、前記リブは、前記容器に対する前記第２の経路の開口部の周囲を包囲する筒状体からなり、該筒状体はその内外を連通し、気体の流通が可能な少なくとも１つの孔部を備えることを特徴とする閉鎖式薬物移送システム。
【請求項４】
バイアル瓶の口部を封止するゴム栓に穿刺される中空針部材と、該中空針部材が該バイアル瓶の口部に穿刺されたときに該バイアル瓶を把持する複数の把持部材とを備えるバイアルアダプタと、
該バイアルアダプタと医療器具とを接続し、該中空針部材に設けられた第１の経路を介して該バイアル瓶内と連通する中空円筒状の接続部材と、
開口端が可撓性部材により閉蓋され、該中空針部材に設けられた第２の経路を介して該バイアル瓶内と連通する容器とを備え、
外気から遮断された状態で該第１の経路を介してバイアル瓶に薬液を注入する際に、該第２の経路を介してバイアル瓶内の気体を該容器内に待避させる一方、該第１の経路を介してバイアル瓶から液体を抽出する際に、該第２の経路を介して該容器に貯留されている気体をバイアル瓶内に供給する閉鎖式薬物移送システムにおいて、
該容器に対する該第２の経路の開口部の周囲に、該可撓性部材による該第２の経路の閉塞を避けて、該容器と該第２の経路との間の気体の流通を許容可能な少なくとも１つの溝部を備えることを特徴とする閉鎖式薬物移送システム。
【発明の詳細な説明】
【技術分野】
【０００１】
本発明は、閉鎖式薬物移送システムに関する。
【背景技術】
【０００２】
従来、正常な細胞や組織に悪影響を及ぼす虞のある抗がん剤や、検査等のために放射性同位元素を含む薬剤等を扱う際に、医療従事者等の被曝を避けるために閉鎖式薬物移送システムが用いられている。
【０００３】
前記閉鎖式薬物移送システムとして、例えば、前記抗がん剤等の薬剤が封入されたバイアル瓶を把持するバイアルアダプタと、該バイアルアダプタとシリンジ等の医療器具とを接続する接続部材とを備えるものが知られている。前記バイアルアダプタは、前記バイアル瓶の口部を封止するゴム栓に穿刺される中空針部材と、該中空針部材が該バイアル瓶に穿刺されたときに該バイアル瓶の首部を把持する複数の把持部材とを有している。
【０００４】
前記閉鎖式薬物移送システムによれば、前記バイアルアダプタの前記中空針部材が前記バイアル瓶に穿刺され、前記把持部材により該バイアル瓶が把持されている状態で、前記接続部材にシリンジ等の医療器具を接続することにより、外気から遮断された状態で該バイアル瓶に生理的食塩水等の薬液を注入することができる。
【０００５】
ところで、前記バイアル瓶内には薬剤の他に空気等の気体が共存しているので、前述のようにして前記バイアル瓶に薬液を注入するときには、前記薬液の注入により該バイアル瓶内の空間が狭められ該気体が行き場を失うと、該薬剤が該バイアル瓶の口部から爆発的に飛散してその液滴やエアロゾルに医療従事者等が被曝する虞があるという問題がある。
【０００６】
そこで、前記問題を解決するために、前記薬液を注入する際に前記バイアル瓶内の気体を待避させる気体容器を設け、前記中空針に前記バイアル瓶内と前記接続部材の内部とを連通する第１の経路と、該バイアル瓶内と該気体容器とを連通する第２の経路とを備える閉鎖式薬物移送システムが知られている（例えば、特許文献１参照）。
【先行技術文献】
【特許文献】
【０００７】
【特許文献１】特表２０１４−５２１４９１号公報
【発明の概要】
【発明が解決しようとする課題】
【０００８】
ところで、前記閉鎖式薬物移送システムは、前記バイアルアダプタの前記中空針部材が前記バイアル瓶に穿刺され、前記把持部材により該バイアル瓶が把持されている状態で、前記接続部材にシリンジ等の医療器具を接続することにより、外気から遮断された状態で該バイアル瓶から薬剤を含む液体を抽出する用途にも用いられることがある。この場合、外気から遮断された状態であると、該バイアル瓶内が負圧になり、前記液体の抽出が困難になることがあるという問題がある。この問題を解決するために、特許文献１記載の閉鎖式薬物移送システムでは、前記気体容器に所定量の気体を貯留させておき、前記バイアル瓶から薬剤を含む液体を抽出する際には、該気体容器に貯留されている気体を該バイアル瓶に供給することにより、該バイアル瓶内が負圧になることを避けるようにしている。
【０００９】
しかしながら、特許文献１記載の閉鎖式薬物移送システムでは、前記気体容器として可撓性の袋状体を用いるので、所定量の気体を貯留するためには該袋状体の内部に充填材を配設する必要があり、改善が望まれる。
【００１０】
そこで、本発明は、簡単な構成によりバイアル瓶から薬剤を含む液体を抽出する際に該バイアル瓶内が負圧になることを避けて薬剤を含む液体の抽出を容易に行うことができる閉鎖式薬物移送システムを提供することを目的とする。
【課題を解決するための手段】
【００１１】
かかる目的を達成するために、前記気体容器を所定の量の気体を貯留する容積を備え開口部を有する容器とし、該容器の開口部を可撓性部材により閉蓋した構成とすることが考えられる。
【００１２】
前記容器の開口部を可撓性部材により閉蓋した構成を備える閉鎖式薬物移送システムによれば、前述のようにして前記バイアル瓶に薬液を注入するときには、薬液の注入に従って該バイアル瓶内の気体を該容器内に待避させる。このとき、前記可撓性部材は、待避される気体の容積に応じて前記容器の外方に伸張することにより、該バイアル瓶内の気体を該容器と該可撓性部材とにより形成される空間内に収容することができる。一方、前述のようにして前記バイアル瓶から薬剤を含む液体を抽出するときには、前記容器内の気体が前記バイアル瓶内に供給されるので、該バイアル瓶内が負圧になることを避けることができる。
【００１３】
ところが、前記容器の開口部を可撓性部材により閉蓋した構成を備える閉鎖式薬物移送システムでは、薬剤を含む液体が抽出され前記容器内の気体が前記バイアル瓶内に供給されるに従って、該可撓性部材が該容器内に吸引されて、該バイアル瓶内と該容器とを連通する第２の経路を閉塞することがあるという不都合がある。前記可撓性部材により前記第２の経路が閉塞されると、前記容器内の気体を前記バイアル瓶内に供給することができなくなり、薬剤を含む液体が抽出されるに従って該バイアル瓶内が負圧になることが避けられない。
【００１４】
そこで、本発明の閉鎖式薬物移送システムは、かかる不都合を解消するために、バイアル瓶の口部を封止するゴム栓に穿刺される中空針部材と、該中空針部材が該バイアル瓶の口部に穿刺されたときに該バイアル瓶を把持する複数の把持部材とを備えるバイアルアダプタと、該バイアルアダプタと医療器具とを接続し、該中空針部材に設けられた第１の経路を介して該バイアル瓶内と連通する中空円筒状の接続部材と、開口端が可撓性部材により閉蓋され、該中空針部材に設けられた第２の経路を介して該バイアル瓶内と連通する容器とを備え、外気から遮断された状態で該第１の経路を介してバイアル瓶に薬液を注入する際に、該第２の経路を介してバイアル瓶内の気体を該容器内に待避させる一方、該第１の経路を介してバイアル瓶から液体を抽出する際に、該第２の経路を介して該容器に貯留されている気体をバイアル瓶内に供給する閉鎖式薬物移送システムにおいて、該容器に対する該第２の経路の開口部の周囲に、該可撓性部材による該第２の経路の閉塞を避けて、該容器と該第２の経路との間の気体の流通を許容可能なリブを備えることを特徴とする。
【００１５】
本発明の閉鎖式薬物移送システムでは、まず、前記バイアルアダプタの前記中空針部材が前記バイアル瓶に穿刺され、前記把持部材により該バイアル瓶が把持されている状態で、前記接続部材にシリンジ等の医療器具を接続することにより、外気から遮断された状態で該医療器具から該接続部材及び前記第１の経路を介して該バイアル瓶内に薬液を注入する。このとき、本発明の閉鎖式薬物移送システムでは、薬液の注入に従って前記バイアル瓶内の気体を前記第２の経路を介して前記容器内に待避させるが、該容器は開口端が前記可撓性部材により閉蓋されている。従って、本発明の閉鎖式薬物移送システムによれば、前記容器内に待避される気体の容積に応じて前記可撓性部材が該容器の外方に伸張し、該気体を該容器と伸張した該可撓性部材とにより形成される空間内に収容することができる。
【００１６】
一方、前述のようにして外気から遮断された状態で、前記医療器具により前記接続部材及び前記第１の経路を介して前記バイアル瓶から液体を抽出するときには、前記容器内に貯留されている気体が前記第２の経路を介して前記バイアル瓶内に供給され、該バイアル瓶内が負圧になることを避けることができる。
【００１７】
前記液体が抽出され前記容器内に貯留されている気体が前記バイアル瓶内に供給されると、前記可撓性部材が該容器内に吸引される。しかし、本発明の閉鎖式薬物移送システムによれば、前記容器に対する前記第２の経路の開口部の周囲にリブが備えられているので、前記可撓性部材は該リブに妨げられて該第２の経路を閉塞することがない。また、前記リブは、前記容器と前記第２の経路との間の気体の流通を許容可能な構成とされているので、該容器内の気体を該第２の経路を介して前記バイアル瓶内に供給することができる。
【００１８】
従って、本発明の閉鎖式薬物移送システムによれば、前記容器に対する前記第２の経路の開口部の周囲に、該容器と該第２の経路との間の気体の流通を許容可能なリブを備えるという簡単な構成により、前記バイアル瓶から液体を抽出する際に該バイアル瓶内が負圧になることを避けて該液体の抽出を容易に行うことができる。
【００１９】
本発明の閉鎖式薬物移送システムにおいて、前記リブは、例えば、前記容器に対する前記第２の経路の開口部の周囲に複数備えられ、各リブは隣接するリブとの間に気体の流通が可能な間隙を備えるものとすることができる。また、前記容器に対する前記第２の経路の開口部の周囲を包囲する筒状体からなり、該筒状体はその内外を連通し、気体の流通が可能な少なくとも１つの孔部を備えるものとすることもできる。
【００２０】
また、本発明の閉鎖式薬物移送システムは、前記リブに代えて、前記容器に対する前記第２の経路の開口部の周囲に、前記可撓性部材による該第２の経路の閉塞を避けて、該容器と該第２の経路との間の気体の流通を許容可能な少なくとも１つの溝部を備える構成とすることもできる。前記溝部によれば、前記リブと同一の作用効果を奏することができる。
【図面の簡単な説明】
【００２１】
【図１】本発明の閉鎖式薬物移送システムの一構成例を示す斜視図。
【図２】図１の縦断面図。
【図３】図１に示す閉鎖式薬物移送システムのキャップを外した状態における第１の形態を示す斜視図。
【図４】図１に示す閉鎖式薬物移送システムのキャップを外した状態における第２の形態を示す斜視図。
【図５】本発明の閉鎖式薬物移送システムの他の構成例を示す斜視図。
【図６】図５の縦断面図。
【発明を実施するための形態】
【００２２】
次に、添付の図面を参照しながら本発明の実施の形態についてさらに詳しく説明する。
【００２３】
図１に示すように、本実施形態の閉鎖式薬物移送システム１は、バイアル瓶２に接続されるバイアルアダプタ３と、バイアルアダプタ３と図示しないシリンジ等の医療器具とを接続する接続部材としてのメスコネクタ４と、バイアル瓶２に薬液を注入する際にバイアル瓶２内の気体を待避させる一方、バイアル瓶２から液体を抽出する際にバイアル瓶２内に供給する気体を貯留する容器５と、容器５の開口端を閉蓋する可撓性部材６と、可撓性部材６を保護するキャップ７とを備えている。
【００２４】
図２に示すように、バイアルアダプタ３は、中空円筒状の主接続部３１と、主接続部３１の下端部から突出し、バイアル瓶２の口部を封止するセプタム（ゴム栓）２１に穿刺される中空針部材３２と、主接続部３１の下端部から外周方向に延出する１対の腕部材３３と、腕部材３３の端部から垂下される把持部材３４とを備える。バイアルアダプタ３の主接続部３１、中空針部材３２、腕部材３３、把持部材３４は、弾性を有する合成樹脂により一体的に形成されている。
【００２５】
主接続部３１は、メスコネクタ４が挿入される中空部３１１と、外周面から水平方向に延出し容器５に接続される中空円筒状の容器接続部３１２とを備えている。中空部３１１は内周面に先端側から開口端に向かって次第に拡径するテーパ面を備えている。また、容器接続部３１２は内周面に主接続部３１側から開口端に向かって次第に拡径するテーパ面を備えている。また、主接続部３１は中空部３１１の開口端から外周側に突出する１対の突出部３１３を備えている。
【００２６】
中空針部材３２は、先端に鋭利な針先部３２１を備える一方、針先部３２１に開口する第１の経路３２２と第２の経路３２３とを備えている。第１の経路３２２は主接続部３１の中空部３１１に連通し、第２の経路３２３は容器接続部３１２の内部に連通している。
【００２７】
把持部材３４は、先端部と基端部との間に窓部３４１を備えており、先端部がバイアル瓶２の首部２２に圧接されたときに、バイアル瓶２の口部から外周側に延出するフランジ部２３が窓部３４１に収容される。また、把持部材３４は、先端部に円弧状の凹部３４２を備えており、凹部３４２がバイアル瓶２の首部２２に圧接される。
【００２８】
メスコネクタ４は、中空円筒状の内套管４１と、内套管４１の外周側に配設され基端部で内套管４１と接続する外套管４２とを備え、外套管４２は内周面に主接続部３１の突出部３１３が螺合される雌ねじ部４３を備えている。内套管４１の外周面は、基端部から先端部に向かって次第に縮径されるテーパ面となっており、中空部３１１の内周面に嵌合される。
【００２９】
内套管４１は外套管４２と接続する部分からさらに基端部側に延出され、中空円筒状の弁座部材４４に接続されている。弁座部材４４は、基端部に弁体４５が配設されており、弁体４５は中央部にスリット４６を備えている。弁体４５は軟質樹脂からなり、シリンジ等の医療器具がスリット４６に挿入されることにより開弁し、抜去されることにより閉弁する。
【００３０】
容器５は、硬質樹脂からなり、半球状の容器本体５１と、容器本体５１の底部からバイアルアダプタ３方向に突出する中空円筒状の接続筒部５２と、容器本体５１の底部に対する接続筒部５２の開口部の周囲に立設された複数のリブ５３とを備えている。容器本体５１は、接続筒部５２に対向する側に開口端を備え、該開口端は軟質樹脂からなる可撓性部材６により閉蓋されている。接続筒部５２の外周面は、容器本体５１側からバイアルアダプタ３側に向かって次第に縮径されるテーパ面となっており、容器接続部３１２の内周面に嵌合される。この結果、接続筒部５２は、中空針部材３２の第２の経路３２３に連通し、第２の経路３２３の一部を構成している。
【００３１】
また、図３にキャップ７を外した状態として示すように、リブ５３は、容器本体５１の底部に対する接続筒部５２（第２の経路３２３）の開口部の周囲を包囲する仮想円に沿う円弧状の形状を備え、隣接するリブ５３との間に気体の流通が可能な間隙５４を備えている。
【００３２】
尚、本実施形態では、リブ５３を前記円弧状の形状としているが、リブ５３は接続筒部５２の周囲を包囲する仮想円に沿って配設されていれば、図３に示す円弧を反転させた形状であってもよく、単なる平板状であってもよく、その形状は特に限定されない。
【００３３】
次に、本実施形態の閉鎖式薬物移送システム１の作動について説明する。
【００３４】
閉鎖式薬物移送システム１では、使用に当たって、まずキャップ７を外し、可撓性部材６が露出された状態とする。次に、バイアルアダプタ３の中空針部材３２をバイアル瓶２のセプタム２１に穿刺する。このようにすると、中空針部材３２を押し込むに従って把持部材３４がバイアル瓶２のフランジ部２３に当接されるが、把持部材３４はそれ自体の弾性により外周方向に拡げられてフランジ部２３を乗り越えた後、バイアル瓶２の首部２２に圧接されて、バイアル瓶２を把持する。
【００３５】
次に、把持部材３４によりバイアル瓶２を把持している状態で、メスコネクタ４に図示しないシリンジ等の医療器具を接続し、該医療器具からメスコネクタ４及び中空針部材３２の第１の経路３２２を介して、バイアル瓶２に生理的食塩水等の薬液を注入し、バイアル瓶２に収容されている抗がん剤等の薬剤を該薬液により希釈したり、該薬液に溶解したりして、実際に患者に投与される薬剤を含む液体の調製が行われる。
【００３６】
このとき、バイアル瓶２内には、前記薬剤の他に空気等の気体が共存しているが、該気体は前記薬液の注入によりバイアル瓶２内の空間が狭められると、中空針部材３２の第２の経路３２３を介して容器５の容器本体５１に待避させられる。容器本体５１には予め所定の容積の気体が貯留されているので、バイアル瓶２内の気体が導入されると、可撓性部材６が図２に仮想線で示す可撓性部材６ａのように容器本体５１の外側に伸張する。この結果、容器本体５１と伸張した可撓性部材６ａとにより形成される空間にバイアル瓶２内の気体が収容される。
【００３７】
次に、バイアル瓶２から前記薬剤を含む液体等を抽出する場合は、把持部材３４によりバイアル瓶２を把持している状態で上下逆転させ、バイアル瓶２を上にして、メスコネクタ４に接続された前記シリンジ等の医療器具により前記液体等を抽出する。このように前記液体等が抽出されると、容器本体５１に貯留されている気体が中空針部材３２の第２の経路３２３を介してバイアル瓶２内に供給され、容器本体５１の気体の減少に伴って、可撓性部材６が接続筒部５２（第２の経路３２３）方向に吸引される。
【００３８】
ここで、容器本体５１にリブ５３が備えられていない場合には、可撓性部材６は図２に仮想線で示す可撓性部材６ｂのように接続筒部５２の開口部に密着してこれを閉塞させる。この結果、容器本体５１に貯留されている気体を中空針部材３２の第２の経路３２３を介してバイアル瓶２内に供給することができなくなり、バイアル瓶２内が負圧となって、前記薬剤を含む液体等の抽出が困難になる。
【００３９】
しかし、本実施形態の閉鎖式薬物移送システム１では、容器本体５１にリブ５３が備えられているので、可撓性部材６は図２に仮想線で示す可撓性部材６ｃのようにリブ５３に妨げられて接続筒部５２の開口部を閉塞させることがない。また、このとき、容器本体５１に貯留されている気体は、リブ５３の間隙５４から接続筒部５２に流入することができ、中空針部材３２の第２の経路３２３を介してバイアル瓶２内に供給することができる。
【００４０】
本実施形態では、容器本体５１の底部に対する接続筒部５２の開口部の周囲を包囲する仮想円に沿って複数のリブ５３を、隣接するリブ５３との間に間隙５４を存して配設するようにしているが、図４に示すように、容器本体５１の底部に対する接続筒部５２の開口部の周囲を包囲する円筒状のリブ５５を設け、リブ５５にその内外を連通し、気体の流通が可能な少なくとも１つの孔部５６を設けるようにしてもよい。
【００４１】
図４に示す構成によれば、バイアル瓶２から前記薬剤を含む液体等を抽出する際に、可撓性部材６はリブ５５に妨げられて接続筒部５２の開口部を閉塞させることがなく、容器本体５１に貯留されている気体は、リブ５５に設けられた孔部５６から接続筒部５２に流入することができ、中空針部材３２の第２の経路３２３を介してバイアル瓶２内に供給することができる。
【００４２】
尚、本実施形態では、リブ５５を円筒状としているが、リブ５５は接続筒部５２の開口部の周囲を包囲する筒状であればよく、例えば、四角筒状、五角筒状等の多角筒状であってもよい。
【００４３】
また、図５に示すように、本実施形態の閉鎖式薬物移送システム１は、リブ５３、５５に代えて、可撓性部材６による閉塞を避けて、容器本体５１と接続筒部５２との間の気体の流通を許容可能な溝部５７を備えるようにしてもよい。
【００４４】
本実施形態では、容器本体５１から接続筒部５２に延在する溝部５７を、接続筒部５２を中心とする放射状に複数設けているが、溝部５７は少なくとも１つあればよく、その数に特に限定はない。
【００４５】
閉鎖式薬物移送システム１は、図６に仮想線示するように、接続筒部５２方向に吸引された可撓性部材６ｂが接続筒部５２の開口部に密着しても、溝部５７により容器本体５１と接続筒部５２との間の気体の流通を確保することができ、容器本体５１に貯留されている気体を接続筒部５２から中空針部材３２の第２の経路３２３を介してバイアル瓶２内に供給することができる。
【符号の説明】
【００４６】
１…閉鎖式薬物移送システム、  ２…バイアル瓶、  ３…バイアルアダプタ、  ４…メスコネクタ（接続部材）、  ５…容器、  ６…可撓性部材、  ３２…中空針部材、  ５３，５５…リブ、  ５４…間隙、  ５６…孔部、  ３２２…第１の経路、  ３２３…第２の経路。
【図１】
2019047957.tif 000003
【図２】
2019047957.tif 000004
【図３】
2019047957.tif 000005
【図４】
2019047957.tif 000006
【図５】
2019047957.tif 000007
【図６】
2019047957.tif 000008